(57)【要約】      （修正有）【課題】簡単な構造により液体注ぎ口部の上部側から外気をボトル内に吸引しながら液体流出部（注ぎ口部）から液体を飛散なくスムースな層流で安全に流出共有することを可能にした液体収容ボトルを提供する。【解決手段】複数の流通路１０又は流通パイプの各前端口を液体収容部の液体注ぎ口部１１の周囲に沿って開口位置し、後端口を液体収容内壁部に開口位置し、液体収容の液体注ぎ口部１１から収容液体１２を流出する際、液体流出部の上側に位置する流通路１０又は流通パイプより容器内に空気を吸引導入させながら該液体をスムースな層流で流出することを可能にした。【選択図】図１
0003222410.tif 000002
【実用新案登録請求の範囲】
【請求項１】
複数の流通路又は流通パイプの各前端口を液体収容部の液体注ぎ口部の周囲に沿って開口位置し、後端口を液体収容内壁部に開口位置し、液体収容の液体注ぎ口部から収容液体を流出する際、前記液体流出部の上側に位置する前記流通路又は流通パイプより前記容器内に空気を吸引導入させながら該液体をスムースな層流で流出することを可能にした液体収容ボトル。
【考案の詳細な説明】
【技術分野】
【０００１】  本考案は、液体容器を傾けて収容液体を流出する液体注ぎ口部の位置が変位してもその変化位置に関係なく必ず液体注ぎ口部から収容液体を層流にしてスムースに流出させることを可能にした液体収容ボトルに関するものである。
【背景技術】
【０００２】  一般に、従来ワインボトル、お酒ボトル等の液体容器を傾けて内溶液をカクテルグラス、タンブラー等の他の液体容器に注ぐが、当該液体容器の注ぎ口から外気が断続的に容器中に入るためその影響で液体が乱流吐出して、周辺に飛散し衣類をや床などを濡らしてしまう。該液体が化学薬液の場合は危険であり、また汚れを拭うために効率の悪い多大な労力と時間と費用が掛かる。【０００３】  このため液体容器を傾けて内溶液を他の容器に注ぐには、液体容器中の液体が所定量減少するまでイライラしながら時間をかけて該液体の乱流吐出を防止しながら吐出量を調節していた。【０００４】  このような問題を解決するために従来は、醤油さし瓶、ヤカン、きゅうす等に見られるように液体容器の注ぎ口の反対側の肩に空気抜き小孔を設けたり、特許文献１に示すように目的は異なるが液体ボトルの注ぎ口に挿出入可能で開閉蓋を有する保持リングに空気抜き孔を設けると共に中央部にボトル底部にのびるストローに伸縮部とストッパーと浮子を有して開閉蓋の開閉で該ストローが注ぎ口から所定長さ突出可能にした飲料容器用ストロー治具などが考案されている。
これ等の技術はいずれも工業所有権の存在はない。【０００５】  而して、前記液体容器の肩に設ける空気抜き小孔は、該液体容器を傾けて内溶液を他の容器に注ぐ際、収容液が溢出しないように常に上向き側に位置調整が必要であり煩雑である。
また空気抜き治具は、使用する都度、注ぎ口に挿出入し且つ空気抜き部を常に上向き側に位置させることが必要でありこれもまた煩雑である。
特許情報プラットホームで特許及び実用新案を調査した結果は次の通りである。
【先行技術文献】
【特許文献】
【０００６】
【特許文献１】特開２００４−２３８０２４（審査未請求のため取り下げ処分）
【考案の開示】
【考案が解決しようとする課題】
【０００７】  本考案は、簡単な構造により液体注ぎ口部の上半部側から外気をボトル内に吸引しながら液体流出部（注ぎ口部）から液体を飛散なくスムースな層流で安全に流出共有することを可能にした液体収容ボトルを提供する。
【課題を解決するための手段】
【０００８】  複数の流通路又は流通パイプの各前端口を液体収容部の液体注ぎ口部の周囲に沿って開口位置し、後端口を液体収容内壁部に開口位置し、液体収容の液体注ぎ口部から収容液体を流出する際、前記液体流出部の上側に位置する前記流通路又は流通パイプより前記容器内に空気を吸引導入させながら該液体をスムースな層流で流出することを可能にした液体収容ボトル。
即ち、本考案の前記流通路は、液体収容ボトル自体の液体注ぎ口部内に一体的に埋設する内設タイプであり、前記流通パイプは、液体収容ボトルの液体注ぎ口部の内壁面に沿って配列する外設タイプであり液体流出部に挿出入可能な治具である。
【考案の効果】
【０００９】  本考案の液体収容ボトルは、前記のように簡単な構成により液体注ぎ口部の上部側から外気をボトル内に吸引しながら液体注ぎ口部から液体を飛散なくスムースな層流で安全に流出供給することを可能にしたものである。
このため、従来のように液体収容ボトルの液体注ぎ口部から流出する液体が周辺に飛散したり濡らしたり汚したりすることもなくなるので、拭き取る手間も無い。更に液体が化学薬品液の場合は危険性もなくなる。
【図面の簡単な説明】
【００１０】
【図１】本考案の実施例１における透視断面斜視図であり、（１）は液体収容ボトルＢ１を倒立状態にした時の説明図、（２）は（１）の状態から４５度傾けた状態の説明図、（３）は（２）の状態から更に４５度傾けた状態の説明図である。
【図２】本考案の実施例２における透視断面斜視図でありる。
【図３】（１）は液体収容ボトルＢ２を倒立状態にした時の説明図、（２）は（１）の状態から４５度傾けた状態の説明図、（３）は（２）の状態から更に４５度傾けた状態の説明図である。
【考案を実施するための形態】
【００１９】  本考案の実施形態は、図１〜図２に示す実施例１〜２により詳細に説明する。
【実施例１】
【００２０】  本実施例１は、図１（１）〜（３）に示し、前記流通路１０を９０度回転角度間隔で４路を、液体収容ボトルＢ１自体の液体注ぎ口部１１内に一体的に埋配設した内設タイプである。
即ち、この液体収容ボトルＢ１から収容液体１２を他の容器に注ぐには、図１の（１）の状態から図１の（２）を経て図１の（３）の状態に示すように液体収容ボトルＢ１を静かに傾ければ液体注ぎ口部１１の上半部側にある流通路１０から矢印ａに示すように外気をボトル内に吸引しながら液体注ぎ口部１１から収容液体１２を飛散なくスムースな層流で安全に流出供給するのである。
【実施例２】
【００２１】  本実施例２は、図２及び図３の（１）〜（３）に示し、４本の前記流通パイプ３０は、その前端口部をドーナツ型の円盤３２内周部に９０度回転角度間隔で装着し、後端口を液体収容ボトルＢ２の液体注ぎ口部３１以降の内壁面に沿って挿入配列した外設タイプの治具である。
即ち、図２の（１）に示すように、４本の前記流通パイプ３０を弾性変形するプラスチック製にして矢印ｂのように内側に一旦曲げてキャップを取り外した液体収容ボトルＢ２の液体注ぎ口部３１に挿入して、図３の（１）に示すようにドーナツ型の円盤３２を液体収容ボトルＢ２の液体注ぎ口部３１の端部に当接して位置固定する。
次にこの液体収容ボトルＢ２から収容液体３３を他の容器に注ぐには、図３の（１）の状態から図３の（２）を経て（３）の状態に示すように液体収容ボトルＢ２を静かに傾ければ液体注ぎ口部３１の上半部側にある流通パイプ３０から矢印ｂに示すように外気をボトル内に吸引しながら液体注ぎ口部３１から収容液体３３を飛散なくスムースな層流で安全に流出供給するのである。
【産業上の利用可能性】
【００２２】  本考案の液体収容ボトルは、前述のように、優れた作用効果があり、主にボトル生産産業、ボトル使用サービス産業界に貢献すること多大なものがある。
【符号の説明】
【００２３】  Ｂ１：液体収容ボトル
１０：流通路
１１：液体注ぎ口部
１２：収容液体
Ｂ２：液体収容ボトル
３０：流通パイプ
３１：液体注ぎ口部
３２：ドーナツ型の円盤
３３：収容液体
【図１】
0003222410.tif 000003
【図２】
0003222410.tif 000004
【図３】
0003222410.tif 000005